(57)【要約】【課題】  脱臭機能を備えるとともに、臭気の吸引経路を容易に清掃することができる安価な家具調ポータブルトイレを提供する。【解決手段】  開口部が形成された天板および該天板の周縁に垂設された周壁からなる座部２と、天板に載置され、中央に形成された開口部の周縁に汚物ポット９を支持可能な便座受け３と、便座受け３に回動自在に軸支されて、便座受け３に支持可能な便座４と、座部２に設けられた肘掛け６および背当て７と、座部２に回動自在に軸支され、便座４を覆って敷設可能なシート５と、座部２に設けられた吸引ファンを有する脱臭器８と、から構成される。そして、便座受け３に吸入口３ｂが形成されるとともに、該吸入口３ｂに開口部を連通させた接続部材８３が着脱自在に設けられ、接続部材８３に一端を接続した吸入ホース８２の他端が脱臭器８に接続されている。【選択図】  図２
2005304694.tif 000002
【特許請求の範囲】
【請求項１】
開口部が形成された天板および該天板の周縁に垂設されるとともに、脚部材を有する周壁からなる座部と、天板に載置され、中央に開口部が形成されるとともに、該開口部の周縁に汚物ポットを支持可能な便座受けと、便座受けに回動自在に軸支されて、便座受けに支持可能な便座と、座部に設けられた肘掛けおよび背当てと、座部に回動自在に軸支され、便座を覆って敷設可能なシートと、座部に設けられた吸引ファンを有する脱臭器と、から構成された家具調ポータブルトイレにおいて、前記便座受けに吸入口が形成されるとともに、該吸入口に開口部を連通させた接続部材が着脱自在に設けられ、接続部材に一端を接続した吸入ホースの他端が脱臭器に接続されていることを特徴とする家具調ポータブルトイレ。
【発明の詳細な説明】
【技術分野】
【０００１】
本発明は、椅子としても使用可能な家具調ポータブルトイレに関するものである。
【背景技術】
【０００２】
一般に、トイレ室での用便が困難な場合には、ポータブルトイレが使用される。このようなポータブルトイレは、開口部が形成された天板および天板の周縁に垂設された周壁からなる座部を合成樹脂によって一体に成形したもので、容易に持ち運びすることができ、また、開口部を通して内部に挿入された汚物ポットを天板に支持できるようになっている。
【０００３】
このようなポータブルトイレにおいても、腰掛け動作や立ち上がり動作時の負担を軽減したり、あるいは、背中を支持する必要性から、肘掛けや背当てが設けられることが好ましい。このため、座部に肘掛けや背当てを設け、用便時以外には、椅子としても使用可能な家具調ポータブルトイレが提供されている（例えば、特許文献１参照）。
【０００４】
このようなポータブルトイレにおいて、特許文献２に記載されるように、脱臭器を付設して汚物ポットに収容された汚物の臭気を脱臭することが提案されている。
【特許文献１】実用新案登録第２５４７４７９号公報
【特許文献２】特開２００３−１６９７６０号公報
【発明の開示】
【発明が解決しようとする課題】
【０００５】
しかしながら、特許文献２に記載されたポータブルトイレにおいては、便器本体に配置される受板の開口部の周囲に吸引口を形成するとともに、該受板の下面に下板を取り付けて吸引口に連通する臭気吸引ダクトを形成することから、受板と下板の二枚構造となって製造コストがかさむとともに、既存の受板を利用することができないという欠点がある。一方、脱臭器の吸引ファンを介して臭気を吸引する際、汚物の飛沫も合わせて吸引されるため、臭気吸引ダクトは汚物の飛沫で汚れ易い。しかしながら、受板に下板を取り付けて形成される臭気吸引ダクトは、閉鎖空間となっており、清掃することは極めて困難である。この結果、不衛生であるばかりでなく、時間の経過とともに、吸引ファンが作動していないときには、汚れた臭気吸引ダクトから臭気が外部に漏洩するという問題がある。
【０００６】
本発明はこのような問題点に鑑みてなされたものであり、脱臭機能を備えるとともに、臭気の吸引経路を容易に清掃することができる安価な家具調ポータブルトイレを提供するものである。
【課題を解決するための手段】
【０００７】
本発明は、開口部が形成された天板および該天板の周縁に垂設されるとともに、脚部材を有する周壁からなる座部と、天板に載置され、中央に開口部が形成されるとともに、該開口部の周縁に汚物ポットを支持可能な便座受けと、便座受けに回動自在に軸支されて、便座受けに支持可能な便座と、座部に設けられた肘掛けおよび背当てと、座部に回動自在に軸支され、便座を覆って敷設可能なシートと、座部に設けられた吸引ファンを有する脱臭器と、から構成された家具調ポータブルトイレにおいて、前記便座受けに吸入口が形成されるとともに、該吸入口に開口部を連通させた接続部材が着脱自在に設けられ、接続部材に一端を接続した吸入ホースの他端が脱臭器に接続されていることを特徴とするものである。
【０００８】
本発明によれば、脱臭器の吸引ファンを作動することにより、汚物ポットに収容された汚物の臭気は、便座受けの吸入口から、接続部材および吸入ホースを経て脱臭器に吸引され、脱臭器で脱臭されて外部に排出される。この際、汚物の飛沫も一部吸引されて便座受けや接続部材の内面に付着するが、便座受けは、座部に載置され、また、接続部材は、便座受けにビスなどによって着脱自在に固定されていることから、座部から便座受けを取り出した後、便座受けを清掃することができるとともに、便座受けから接続部材を取り外して接続部材を清掃することができる。また、吸入ホースも接続部材および脱臭器に対して接続されているため、接続部材および脱臭器から吸引ホースを取り外すことにより、吸入ホースについても清掃することができる。
【０００９】
また、便座受けに吸入口を形成すればよいことから、脱臭器の収納スペースを確保すれば、既存の便座受けを備えたポータブルトイレであっても、簡単に脱臭機能を付加することができる。
【００１０】
なお、シートを伸展して便座上に敷設すれば、便座、便座受けおよび汚物ポットを覆うことができ、使用者は、腰掛けて椅子として使用することができる。この場合、肘掛けおよび背当てが肘および背を支持することができる。
【発明の効果】
【００１１】
本発明によれば、脱臭機能を備えるとともに、臭気の吸引経路を容易に清掃することができる。
【発明を実施するための最良の形態】
【００１２】
以下、本発明の実施の形態について図面を参照しつつ説明する。
【００１３】
図１乃至図３には、本発明の家具調ポータブルトイレ１の一実施形態が示されている。
【００１４】
このポータブルトイレ１は、木材によって形成された座部２と、座部２に配置された便座受け３と、便座受け３に水平軸回りに回動自在に軸支された便座４と、座部２に水平軸回りに回動自在に軸支されたシート５と、座部２に設けられた肘掛け６および背当て７と、座部２に設けられた脱臭器８と、から構成されている。
【００１５】
座部２は、開口部が形成された天板２１（図３参照）と、天板２１の前端部および後端部にそれぞれ連結された前壁２２および後壁２３と、天板２１、前壁２２および後壁２３の左右各側端縁にそれぞれ連結された左右の側壁２４，２４と、からなり、左右の側壁２４の前方および後方には、脚部材２５がそれぞれ高さ方向および前後方向に取付位置が調整可能に固定されている。
【００１６】
なお、左右の側壁２４には、後述する背当て７を構成する框部２４１が予め一体に形成されている他、その後方には、シート５を支持するストッパー２６（図３参照）が設けられている。
【００１７】
また、後方の脚部材２５には、キャスター２７が回転自在に設けられている。
【００１８】
ここで、前壁２２は、内方に向けて傾斜されており、使用者は、前壁２２に沿って下腿を内方に折り曲げることができる。このため、使用者が腰掛ける場合、あるいは、立ち上がる場合、無理なく起居動作を行うことができる。
【００１９】
便座受け３は、プラスチック、例えば、ＡＢＳ樹脂で形成され、中央部に、座部２における天板２１の開口部よりも小さな開口部３ａが形成されている。そして、便座受け３に
は、図４および図５に詳細に示すように、開口部３ａの周縁に汚物ポット９（図２参照）を支持可能な汚物ポット支持部３１が形成されるとともに、該汚物ポット支持部３１の周縁に連続して便座４を支持可能な便座支持部３２が階段状に形成されている。また、便座受け３の後端部には、汚物ポット支持部３１および便座支持部３２を連設する周壁部３３および便座支持部３２にかけて吸入口３ｂが形成されている。
【００２０】
ここで、便座受け３は、その便座支持部３２が天板２１に載置されている。
【００２１】
便座４は、プラスチックで形成され、便座受け３における便座支持部３２の後端部に位置して固定された軸支部４１と、軸支部４１に図示しないピンを介して水平軸回りに回動自在に軸支され、中央部に開口部４２ａが形成された便座本体４２と、からなり、軸支部４１に対して水平状態に回動した際、便座受け３の便座支持部３２に載置することができ、一方、軸支部４１に対して略垂直状態に回動した際、図示しない保持ストッパを介して垂直近傍の任意の角度位置に立設させることができる。
【００２２】
シート５は、二つ折り可能にヒンジ結合されており、その後端部が座部２における左右の側壁２４の各内面側後部に回動自在に連結されている。そして、シート５を前方に引き出して伸展させた際、便座４上に敷設することができ（図１および図２参照）、一方、シート５を上方に持ち上げた際、側壁２４に設けられたストッパ２６に二つ折り状態で支持することができる（図３参照）。
【００２３】
肘掛け６は、座部２の左右の側壁２４の前部に高さ方向に取付位置を調整自在に固定された支柱６１と、支柱６１および左右の側壁２４の框部２４１にわたって固定された肘掛け本体６２と、からなり、木材から形成されている。
【００２４】
背当て７は、左右の側壁２４の框部２４１と、左右の側壁２４の框部２４１の上端部にわたって固定された背当て本体７１と、から形成されている。
【００２５】
脱臭器８は、例えば、光触媒を利用したものであり、図示しない吸引ファンを内蔵して座部２の右側壁２４の内面に固定されている（図３参照）。そして、図６に詳細に示すように、脱臭器８の吸引口に設けられたエルボ８１に吸引ホース８２の一端が接続され、吸引ホース８２の他端は、接続部材８３の吸引口に設けられたエルボ８１に接続されている。
【００２６】
ここで、接続部材８３は、左右側面および前面にフランジ部を有し、上面および前面の上端部が開口された箱状に形成され、便座受け３の後端部に形成された吸入口３ｂに開口部８３ａが連通して、フランジ部が便座受け３の汚物ポット支持部３１の裏面および便座支持部３２の裏面にわたって配置されて、便座支持部３２にビス固定されている。
【００２７】
なお、便座受け３の開口部３ａを通して内方に挿入される汚物ポット９は、その上端周縁部が便座受け３の汚物ポット支持部３１に支持されており、便座４を倒すことにより、汚物ポット９の上端周縁を覆うことができる。
【００２８】
次に、このように構成されたポータブルトイレ１の作動について説明する。
【００２９】
家具調ポータブルトイレ１は、通常、座部２の天板２１に便座受け３の便座支持部３２が載置されるとともに、便座受け３に回動自在に軸支された便座４が、その便座支持部３２に支持されている。さらに、シート５が伸展されて、便座受け３の汚物ポット支持部３１に支持された汚物ポット９および便座受け３の便座支持部３２に支持された便座４の開口部４２ａを覆って便座４に敷設されている（図１参照）。このため、腰掛けて椅子とし
て使用することができる。
【００３０】
この際、使用者の肘および背をそれぞれ肘掛け６および背当てに支持させることができる。また、前壁２２が内方に向けて傾斜されていることから、使用者は、前壁２２に沿って下腿を内方に折り曲げて、無理なく起居動作を行うことができる。
【００３１】
一方、トイレとして使用する場合は、シート５を持ち上げて折り畳み、後方に押し出してストッパ２６に支持させるとともに、便座４を跳ね上げ、背当て７に当接するような略垂直位置に保持する。次いで、露出された汚物ポット９の蓋を除去した後、再び便座４を押し下げ、便座受け３の便座支持部３２に載置すれば、便座４に座って用を足すことができる。
【００３２】
この際、脱臭器８の吸引ファンを作動すれば、汚物ポット９に収容された汚物の臭気は、便座受け３の吸入口３ｂから接続部材８３および吸入ホース８２を経て脱臭器８に吸引され、脱臭器８で脱臭されて外部に排出される。ここで、汚物の飛沫も一部吸引されて便座受け３や接続部材８３の内面に付着するが、便座受け８３は、座部２の天板２１に載置され、また、接続部材８３は、便座受け３にビスなどによって着脱自在に固定されていることから、座部２から便座受け３を取り出した後、便座受け３を清掃することができるとともに、便座受け３から接続部材８３を取り外して接続部材８３を清掃することができる。また、吸入ホース８２も接続部材８３および脱臭器８の各エルボ８１に接続されているため、接続部材８３および脱臭器８から吸引ホース８２を取り外すことにより、吸入ホース８２についても清掃することができる。
【００３３】
この結果、汚物ポット９に収容された汚物の臭気を吸引する経路を簡単に清掃することができ、常に清潔に保つことができる。また、便座受け３に吸入口３ｂを形成すればよいことから、既存の便座受け３を備えたポータブルトイレであっても、簡単に、かつ、安価に脱臭機能を付加することができる。
【００３４】
なお、前述した実施形態においては、前壁２２、後壁２３および左右の側壁２４によって周壁を形成する一方、左右の側壁２４に、背当て７を構成する框部２４１を予め一体に形成した場合を説明したが、背当て７を框部および背当て本体から構成し、座部２に背当て７の框部を連結するようにしてもよい。
【産業上の利用可能性】
【００３５】
以上のように本発明によれば、脱臭機能を有するとともに、容易に清掃することができるポータブルトイレを提供することができる。
【図面の簡単な説明】
【００３６】
【図１】本発明の家具調ポータブルトイレの一実施形態を示す側面図である。
【図２】図１の家具調ポータブルトイレの縦断面図である。
【図３】図１の家具調ポータブルトイレを一部省略して示す縦断面図である。
【図４】便座受けの平面図である。
【図５】図４のＡ−Ａ線断面図である。
【図６】便座受けと脱臭器の関係を一部省略して示す分解斜視図である。
【符号の説明】
【００３７】
１  家具調ポータブルトイレ
２  座部
２１  天板
２２  前壁
２３  後壁
２４  側壁
３  便座受け
３ａ  開口部
３ｂ  吸入口
３１  汚物ポット支持部
３２  便座支持部
４便座
４２ａ  開口部
５  シート
６  肘掛け
７  背当て
８  脱臭器
８２  吸入ホース
８３  接続部材
８３ａ  開口部
９  汚物ポット
【図１】
2005304694.tif 000003
【図２】
2005304694.tif 000004
【図３】
2005304694.tif 000005
【図４】
2005304694.tif 000006
【図５】
2005304694.tif 000007
【図６】
2005304694.tif 000008